(57)【特許請求の範囲】
【請求項１】
基台の上部に取り付けられ、前方側へ向けて伸長する腕部を有する竿受けの後部に釣竿挟持部を備え、前記釣竿挟持部に釣竿を保持する一対の開閉アームを有する釣竿保持装置において、
前記釣竿挟持部は、支持部材とこの支持部材の内部空間を上下方向に移動可能なアーム開閉部材とを有し、前記支持部材は、前記アーム開閉部材を上方に向けて付勢する押圧バネと前記アーム開閉部材に係脱自在でかつこのアーム開閉部材に係合することにより前記押圧バネの付勢力に抗してこのアーム開閉部材を保持する操作レバーとを有し、前記一対の開閉アームの一端を前記アーム開閉部材に軸支すると共に、前記一対の開閉アームの中間部と支持部材とに支持点を中心として回動可能に支持されて前記一対の開閉アームの中間部と前記支持部材とをリンクするリンクアームを設け、このリンクアームを介して前記開閉アームの中間部を支持部材に対して回動自在に連結支持し、前記アーム開閉部材を押圧バネの付勢力に抗して押し下げることにより開閉アームの他端を閉じた状態とし、前記操作レバーとアーム開閉部材との係合を解除することにより前記開閉アームの他端を解放状態とすることを特徴とする釣竿保持装置。
【請求項２】
前記アーム開閉部材と前記一対の開閉アームの一端との係合部、及び前記開閉アームの中間部と前記リンクアームの一端との係合部、及び前記リンクアームの他端と前記支持部材との係合部は、いずれもピンと丸孔とで構成された係合部構成であることを特徴とする請求項１に記載の釣竿保持装置。
【発明の詳細な説明】
【０００１】
【発明の属する技術分野】
本発明は、船釣りの際に用いられ、釣竿を着脱自在に保持することを可能にする釣竿保持装置に関する。
【０００２】
【従来の技術】
従来、釣竿保持装置は、竿の握持部にクランプを取付け、これを釣竿保持装置の竿掛部に着脱自在に構成している。しかし、このような構成では、竿の握持部にクランプが残ったままなので、脇の下に竿を保持すると、クランプが体に当たるため違和感を感じ、不快感が伴う。また、クランプの竿への取付、取り外しが面倒である上に、クランプが独立したパーツであるために紛失し易い等の不具合がある。
【０００３】
このような不具合を解決するべく、特開平８−２６６２０５号には、開閉式のアームによる竿保持部を固定部材に設け、竿の押し込み操作、および操作レバーの操作によって竿を着脱自在にする技術が開示されている。この場合、開閉式のアームは、角形ブロックと呼ばれるアーム開閉部材に枢止されており、竿の握持部を竿当て部に押し付けることで閉じ、操作レバーの操作で開くように構成されている。
【０００４】
【発明が解決しようとする課題】
上記特開平８−２６６２０５号に示されている技術では、アーム開閉部材とアームとの連結部が長孔で構成されているため、アームを支持する力が弱く、ガタ付きが生じ易い。このため、振動によってアーム部分が開き易く、細い径の竿の場合、その保持が外れてしまう可能性がある。また、一対の開閉アームをアーム支持部材に軸支して開閉させているため、開口時におけるアームの開口幅が狭く、特に、太い径の竿の着脱操作がし難い等の不具合がある。
【０００５】
この発明は、釣竿にクランプを取り付けること無く竿を確実に保持することができ、釣竿の着脱操作が行い易い釣竿保持装置を提供することを目的とする。
【０００６】
【課題を解決するための手段】
上記課題を解決するために、本発明の釣竿保持装置は、基台の上部に取り付けられ、前方側へ向けて伸長する腕部を有する竿受けの後部に釣竿挟持部を備え、前記釣竿挟持部に釣竿を保持する一対の開閉アームを有しており、前記釣竿挟持部は、支持部材とこの支持部材の内部空間を上下方向に移動可能なアーム開閉部材とを有し、前記支持部材は、前記アーム開閉部材を上方に向けて付勢する押圧バネと前記アーム開閉部材に係脱自在でかつこのアーム開閉部材に係合することにより前記押圧バネの付勢力に抗してこのアーム開閉部材を保持する操作レバーとを有し、前記一対の開閉アームの一端を前記アーム開閉部材に軸支すると共に、前記一対の開閉アームの中間部と支持部材とに支持点を中心として回動可能に支持されて前記一対の開閉アームの中間部と前記支持部材とをリンクするリンクアームを設け、このリンクアームを介して前記開閉アームの中間部を支持部材に対して回動自在に連結支持し、前記アーム開閉部材を押圧バネの付勢力に抗して押し下げることにより開閉アームの他端を閉じた状態とし、前記操作レバーとアーム開閉部材との係合を解除することにより前記開閉アームの他端を解放状態とすることを特徴とする。
【０００７】
上記したように、各開閉アームの中間部に、夫々リンクアームを設けて支持部材と連結することで、開閉アームの中間部が支持部材に対して回動して開閉アームの解放時における開口幅を広くすることが可能となり、釣竿の保持動作が容易に行えるようになる。また、一対の開閉アームを用いたことで、釣竿の握持部にクランプを設ける必要性が無くなる。
【０００８】
【発明の実施の形態】
以下、本発明の実施の形態を添付図面を参照して説明する。
【０００９】
図１は、本実施の形態に係る釣竿保持装置を側面から見た図である。釣竿保持装置１は、万力２等による挟持具によって装置全体を船縁に固定する船縁固定部３と、この船縁固定部上に設けられる基台５とを備えている。この基台５には、前方側に向かって延出し、先端部に二股状に構成されて竿を受け止める竿受け７ａが形成された腕部７と、竿の基端部を挟持、保持する釣竿挟持部８が設けられている。なお、実際に釣竿を保持する場合は、図の２点鎖線で示すように、リール１００の前方位置で竿受け７ａが釣竿１０１の基端領域を受けると共に、リール１００の後方位置で釣竿挟持部８が釣竿１０１の握持部を挟持、保持する。この構成において、釣竿挟持部８は、基台５に対して回動可能に支持しておくことが好ましい。
【００１０】
釣竿挟持部８は、開閉可能な一対の開閉アーム１０（以下の説明では、単にアームと称することもある）を備えており、釣竿１０１の握持部を後述する竿押圧体と共に挟持するようになっている。これらのアーム１０は、釣竿をアーム間に位置せしめ、竿押圧体を下方に押し込むと閉じた状態となり、この状態から操作レバー１２を操作することで釣竿を解放するように構成されている。
【００１１】
次に、上記した釣竿挟持部８の構成を図２乃至図５を参照して説明する。これらの図は、いずれも釣竿を保持した状態を示しており、図２は、釣竿挟持部を後方から見た図、図３は、釣竿挟持部の横断面図、図４は、釣竿挟持部のリンクアーム部分における縦断面図、図５は、釣竿挟持部の中央縦断面図である。
【００１２】
前記基台５には、筒状で上方に突出する支持部材（本体）１５が設けられている。前記レバー１２は、支持部材１５の両側部の略中央部に形成されたレバー支持部１５ａに所定角度だけ回動可能に支持されており、図４に示すように、レバー支持部との間に配された引張りバネ１５ｂによって、支持部１５ｃを中心に時計周り方向に付勢保持されている。また、支持部材１５には、レバー１２が配される位置と対応して孔１５ｄが形成されており、この部分にレバー１２の基端部１２ａが挿脱するように構成されている。なお、基端部１２ａは、前記引張りバネ１５ｂによって付勢されているとき、図５に示すように、支持部材１５の内部空間に突出しており、後述するアーム開閉部材の係合部と係合した状態になっている。
【００１３】
前記筒状の支持部材１５の内部空間には、上下方向に移動可能なアーム開閉部材２０が配されている。このアーム開閉部材２０と支持部材１５の内底面との間には、押圧バネ２２が取り付けられており、アーム開閉部材２０を上方に向けて付勢している。上記したように、アーム開閉部材２０の下方の外周部には、前記レバー１２の基端部１２ａと係合可能な係合部２０ａが形成されており、レバー１２を反時計周りに回動させたときに、基端部１２ａと係合部２０ａとの係合関係が外れ、アーム開閉部材２０を、押圧バネ２２によって上方に移動させるようになっている。また、アーム開閉部材２０の係合部２０ａの下方には、テーパ２０ｂが形成されており、上方に移動したアーム開閉部材２０を押圧バネ２２の付勢力に抗して押し下げたとき、引張りバネ１５ｂによって支持部材１５の内部空間に突出している基端部１２ａを反時計周りに回動させて、最終的に図５に示すような係合関係にする。
【００１４】
アーム開閉部材２０には、上方に開口し、内部に段部２０ｄを有する凹所２０ｅが形成されており、この凹所２０ｅ内には、上下方向に移動可能な竿押圧体２８が配されている。竿押圧体２８の下面と凹所２０ｅの底部との間には、押圧バネ３０が配されており、竿押圧体２８を上方に向けて付勢している。竿押圧体２８の中央部には、上下方向に延出する長孔２８ａが形成されており、この長孔２８ａには、前記アーム開閉部材２０に保持されているピン３２が挿通されて、竿押圧体２８はピン３２に沿って上下方向に移動可能になっている。また、竿押圧体２８の上面部には、釣竿１０１の外周面を受けるように、円弧状の竿受け部２８ｂが取着されている。
【００１５】
上記構成において、竿１０１を竿受け部２８ｂに押し付け、竿押圧体２８を押圧バネ３０の付勢力に抗して下方に押圧することで、竿押圧体２８は、前記した凹所内の段部２０ｄに当て付き、そして、アーム開閉部材２０を一体的に押圧バネ２２の付勢力に抗して下方に移動させる。
【００１６】
なお、前記支持部材１５、アーム開閉部材２０、竿押圧体２８の位置関係は、図８に示すように、初期状態（竿受け準備状態）において夫々の押圧バネ２２，３０の付勢力によって、アーム開閉部材２０の上方の略半分が支持部材１５から突出し、かつ竿押圧体２８の上方の略半分がアーム開閉部材２０から突出するようになっている。この初期状態では、前記ピン３２は、長孔２８ａの最下点に位置している。
【００１７】
前記アーム開閉部材２０の上部の両側には、前記竿押圧体２８と協動して、釣竿１０１を挟持するように、一対の開閉アーム１０の一端（基端部）が回動可能に軸支されている。この場合、各アーム１０は、アーム開閉部材２０に予め形成されている丸孔にピン２０ｆを配することで、アーム開閉部材に対して回動できるように軸支するのが好ましい。
【００１８】
各アーム１０は、図に示すように、略Ｌ字形に屈曲した形状となっており、その中間領域に形成されている屈曲部と前記支持部材１５との間において、両者をリンクするリンクアーム３５が設けられている。このように、各アームの中間部に、支持部材１５と連結するリンクアーム３５を設けることで、各アーム１０が解放したときの他端（先端部）の開口の幅を広くすることが可能となる。この場合、各アームが解放したときの開口の幅は、以下のように構成することで、より広くすることが可能である。
【００１９】
上記したように、アームを中間領域において屈曲させ、この屈曲した部分でリンクアーム３５の一端を支持点３５ａで支持すると共に、他端を支持部材１５の両側部において、リンクアーム３５が支持点３５ｂを中心として所定範囲回動できるように支持する。この場合、支持部材１５、アーム開閉部材２０、各アーム１０、及びリンクアーム３５は、上記した初期状態（アーム開閉部材２０が押圧バネ２２によって上昇したとき；図８参照）において、アーム１０の基端での支持点２０ｆが、屈曲部である中間部における支持点３５ａよりも上側になるように構成されている。各支持点が、このような位置関係となるように各部材を構成することで、各アームの解放時における開口の幅をより広くすることができ、竿押圧体２８の竿受け部２８ｂに、容易に釣竿１０１を位置付けることが可能になる。また、図３に示す竿保持状態では、支持点２０ｆは、リンクアーム３５の支持点３５ａ，３５ｂ間に位置しており、広い解放状態となる各アーム１０を、コンパクトに閉じることを可能にしている。さらに、竿保持状態で、各リンクアーム３５が鉛直方向に向くような連結構造としたことで、全体の幅をコンパクトにすることが可能となる。
【００２０】
なお、上記した構成において、各リンクアームの支持点３５ａ，３５ｂは、いずれもピンと丸孔による係合関係とすることが好ましい。このような係合関係とすることで、ガタ付くことなく、安定して釣竿を強固に保持することができる。
【００２１】
次に、上述したように構成された釣竿保持装置に、釣竿を保持させる動作について説明する。
【００２２】
船縁に取り付けられた釣竿保持装置１は、釣竿の装着前、図８に示すような状態になっている。この場合、上記したリンクアーム３５、及び各部材の構成によって、一対の開閉アーム１０は広く開口しており、釣竿１０１を、竿受け７ａ及び竿受け部２８ｂに容易に載置することができる。
【００２３】
次に、竿受け部２８ｂに載置した釣竿の握持部を下方に向けて押し込む。この押し込み操作によって、竿押圧体２８は、押圧バネ３０の付勢力に抗して下方に移動し、アーム開閉部材２０の段部２０ｄに当て付くことで、さらにアーム開閉部材２０を押圧バネ２２の付勢力に抗して一体的に下方に移動させる。アーム開閉部材２０の下方への移動に伴って下端部に形成されたテーパ２０ｂが、操作レバー１２の基端部１２ａを押圧し、操作レバー１２を、支持点１５ｃを中心として反時計周りに回動させる。そして、基端部１２ａは、引張りバネ１５ｂによって、アーム開閉部材２０の係合部２０ａに係合する。このとき、図８に示した状態にある一対のアーム１０は閉じられて、最終的に図２乃至図５に示された状態となる。すなわち、釣竿１０１は、押圧バネ３０の付勢力による竿押圧体２８、及び閉じた状態の一対のアーム１０によって、挟持された状態で保持される。
【００２４】
また、上述したように、連動する各部材の各支持部は、丸孔とピンによる連結関係となっているため、開閉アーム１０を支持する力が強くなり、釣竿１０１はガタ付きが生じることなく安定した状態で強固に保持され、振動が生じても外れるようなことはない。
【００２５】
そして、図６に示すように、操作レバー１２を引張りバネ１５ｂの付勢力に抗して反時計周り（上方向）に回動させ、基端部１２ａと係合部２０ａの係合関係を解除することで、図７に示す状態から図８に示す状態となり、釣竿１０１を迅速に手に持ち換えることができる。この場合、釣竿の握持部には、従来のようにクランプ部分が取り付けられていないため、違和感や不快感を感じることなく、釣竿を脇の下に保持して魚釣操作が行える。また、このような構成により、クランプ部分を釣竿の握持部に着脱するような面倒な操作がなくなり、クランプ部分が紛失するようなトラブルも発生することはない。
【００２６】
以上、本発明の実施の形態について説明したが、本発明は上記実施の形態に限定されることはなく、種々変形することが可能である。例えば、開閉アーム１０の形状、開閉アームに対するリンクアームの支持位置については、対象となる釣竿の径に応じて種々変形することが可能である。
【００２７】
【発明の効果】
本発明の釣竿保持装置は、一対の開閉アームの一端を支持部材内を移動可能なアーム開閉部材に軸支し、中間部をリンクアームを介して支持部材に回動自在に連結支持したため、ガタ付くことなく、安定して釣竿を強固に保持することができ、解放時における開閉アームの開口幅が広くなり、釣竿の着脱が容易に行えるようになる。また、釣竿の握持部に、別途クランプを設ける必要がないため、魚釣時の釣竿の操作性の向上が図れ、クランプが紛失するというようなトラブルも生じない。
【図面の簡単な説明】
【図１】本発明の一実施の形態に係る釣竿保持装置を側面から見た図。
【図２】図１に示す釣竿挟持部を後方から見た図。
【図３】釣竿挟持部の横断面図。
【図４】釣竿挟持部のリンクアーム部分における縦断面図。
【図５】釣竿挟持部の中央縦断面図。
【図６】釣竿挟持部の中央縦断面図であり、操作レバーを操作した時の状態を示す図。
【図７】釣竿挟持部の横断面図であり、操作レバーを操作した時の状態を示す図。
【図８】釣竿の解放状態（初期状態）を示す釣竿挟持部の横断面図。
【符号の説明】
１…釣竿保持装置、５…基台、８…釣竿挟持部、１０…開閉アーム、
１２…レバー、１５…支持部材、２０…アーム開閉部材、２８…竿押圧体、
３５…リンクアーム、１００…リール、１０１…釣竿。
【図１】
0003831534.tif 000002
【図２】
0003831534.tif 000003
【図３】
0003831534.tif 000004
【図４】
0003831534.tif 000005
【図５】
0003831534.tif 000006
【図６】
0003831534.tif 000007
【図７】
0003831534.tif 000008
【図８】
0003831534.tif 000009